(57)【要約】      （修正有）【課題】簡単な構成としながらも、ディスクのディスクレーベル面の表示情報を操作者の要求に応じて任意のタインミングで即座に表示する。【解決手段】ディスク１のディスクレーベル面１ｂの表示情報を読み取る画像読み取り装置１９と、画像読み取り装置１９が読み取った画像データを記憶する不揮発性の画像メモリ２４と、画像メモリ２４の画像データが画面表示される表示部１０と、種々の指令を入力する入力手段１３，１７と、装置の全体をシステム制御する制御手段１２とを備える。制御手段１２は、再生動作に際し回転され始めたディスク１のディスクレーベル面１ｂの表示情報の読み取りを指令して、読み取った画像データを画像メモリ２４に記憶させ、画像メモリ２４から画像データを読み出して表示部１０に表示させる制御機能とを有している。【選択図】図１
2009020937.tif 000002
【特許請求の範囲】
【請求項１】
読み取り素子が少なくともディスクの半径よりも長いライン状に配列され、装着されたディスクにおける情報記録面とは反対側のディスクレーベル面に対向し、且つディスクの半径方向に沿った配置で設けられてディスクレーベル面の表示情報を読み取る画像読み取り装置と、
前記画像読み取り装置が読み取った画像データを記憶する不揮発性の画像メモリと、
画像メモリの画像データが画面表示される表示部と、
ユーザの手動操作により種々の指令を入力する入力手段と、
装置のシステム全体を制御する制御手段とを備え、
前記制御手段は、
前記入力手段から再生指令が入力したときに、ディスクが装着後に回転され始めた時点で前記画像読み取り装置に対しディスクレーベル面の表示情報の読み取りを指令する制御機能と、
前記画像読み取り装置が読み取った画像データを前記画像メモリに記憶させる制御機能と、
前記入力手段からディスクレーベル面の表示情報の表示が指令されたときに、前記画像メモリから画像データを読み出して前記表示部に表示させる制御機能とを有していることを特徴とするディスク装置。
【請求項２】
前記画像読み取り装置から読み出された画像データにおける前記ディスクの内周側のデータ部分を間引きししたのち、残存すデータ部分を繋ぎ合わせるように合成してディスク状の画像データに変換する整形を行う画像データ整形回路と、
この画像データを圧縮して前記画像メモリに対し出力するエンコーダ部とを備えている請求項１に記載のディスク装置。
【請求項３】
前記画像読み取り装置がディスクの１回転毎に順次駆動される複数の読み取り部に分割され、これら各読み取り部が、ディスクの外周側で最も速く読み取り、且つ内周側にいくにしたがって順次遅く読み取るように各読み取り部の読み取り速度またはディスクの回転速度が設定され、
画像データ整形回路は、前記各読み取り部がそれぞれ読み取った画像データを繋ぎ合わせて合成することによりディスク状の画像データに変換するように構成されている請求項２に記載のディスク装置。
【請求項４】
ディスクローディング機構がトレイをディスクの排出位置まで移動させたのを検出するトレイ位置検出手段を備え、
前記制御手段が、前記トレイ位置検出手段から排出検出信号が入力したときに、前記画像メモリに記憶している画像データを消去させる制御機能を有している請求項１ないし３の何れかに記載のディスク装置。
【請求項５】
複数枚のディスクを同時に装着して各ディスクのうちの再生を指令されたディスクを再生位置に位置決めするチェンジャと、
前記チェンジャにおける再生位置に位置決めされたディスクが装着されているディスク装着部のディスク番号を検出するディスク番号検出部とを備え、
前記制御手段は、
前記入力手段からディスク番号を指定して再生指令が入力したときに、前記ディスク番号検出部から入力した検出ディスク番号に対応するディスクのディスクレーベル面の表示情報を読み取った画像データが前記画像メモリに記憶されていないと判別した場合に、前記画像読み取り装置が読み取った画像データをディスク番号に関連付けて前記画像メモリに記憶させ、一方、ディスク番号に対応する画像データが前記画像メモリに記憶されていると判別した場合に、その記憶中の画像データを消去したのちに、前記画像読み取り装置が読み取った画像データをディスク番号に関連付けて前記画像メモリに記憶させる制御機能と、
前記入力手段からディスク番号を指示してディスクのディスクレーベル面の表示情報の表示指令が入力したときに、前記画像メモリから該当するディスク番号に対応する画像データを読み出して前記表示部に表示させる制御機能とを有している請求項１ないし３の何れかに記載のディスク装置。
【発明の詳細な説明】
【技術分野】
【０００１】
本発明は、光ディスクなどのディスクの情報記録面に記録された情報を再生する光ディスク装置に関わり、さらに詳しくはディスクの情報記録とは反対側のディスクレーベル面に印刷表示された情報を読み取ったのちに必要に応じて画面表示するディスク装置に関するものである。
【背景技術】
【０００２】
近年では、音楽情報や映像情報の記録メディア或いはコンピュータ等の外部記憶装置の記録メディアとして、ＣＤやＤＶＤなどの光ディスクを再生または記録再生するディスク装置の普及が著しい。このディスク装置で再生可能なディスクには、一方の面を情報記録面とし、他方の面を、例えばアースト名、曲面、映画タイトル等を絵や文字で表示したコンテンツ情報を印刷または貼着したラベルで表示するディスクレーベル面としたものがある。
【０００３】
上記ディスク装置のディスク出入部としては、トレー型の光ディスク載置部が進退するトレーローディング方式、キャディと呼ばれる専用のケースに光ディスクを入れてそのキャディドをドライブに入れて利用するキャディ方式、光ディスク自体を自動的に挿排出するスロットローディング方式、簡易型のポータブルＣＤプレーヤ等に採用される簡易式の蓋を備えた簡易開閉方式等が存在する。これら何れの方式においても、光ディスクを装填した後は、ディスクレーベル面の情報を外部から直接視認することができないので、当該光ディスクを装填した者であっても、時間が経過した後には何の光ディスクを使用していたのかが判らなくなる場合がある。そのような場合には、ディスクレーベル面の表示情報を確認しようとすれば、光ディスクを再生するか、或いは光ディスクを一旦取り出すかの何れかの操作が必要となるが、装填中の光ディスクをその都度再生するのは非常に面倒であり、通常は光ディスクを一旦取り出してディスクレーベル面の表示情報を確認する操作が行われる。
【０００４】
従来では、上述の確認のために光ディスクを取り出すのに先立って、回転中の光ディスクを一時停止させたのちに、ディスクレーベル面の全面を文字認識用センサによりスキャンニングして文字情報をイメージ情報として読み取り、そのイメージ情報を分析して文字を抽出する文字認識処理を行い、抽出した文字の傾き程度を演算処理により算出し、その算出した文字の傾き情報に基づいてディスクレーベル面の文字列がユーザに正対する位置まで光ディスクを回転させて停止させ、この状態でトレーを駆動して光ディスクを取り出すようにした光ディスク再生装置（特許文献１参照）が知られている。この光ディスク再生装置では、光ディスクがディスクレーベル面の情報が見易い配置に予め調整したのちに取り出されるので、ユーザが情報を即座に確認できるものである。
【０００５】
また、従来では、フロッピィディスクが内部に収納されたケースの表面に貼着されているラベルの表示情報を画像情報として読み取り、その画像情報を表示部に表示することにより、フロッピィディスクを取り出すことなくラベルの表示情報を確認できるようにしたラベル情報表示装置も提案されている（特許文献２参照）。さらに、従来では、磁気テープが内部に収納されたカセットケースの表示情報をイメージスキャナで読み取って表示部に表示するようにしたカセットラベル表示装置（特許文献３参照）も案出されている。
【特許文献１】特開２００３−１８１８４４号公報
【特許文献２】特開平８−２９３１９０号公報
【特許文献３】特開平４−１０５２８６号公報
【発明の開示】
【発明が解決しようとする課題】
【０００６】
しかしながら、特許文献１の光ディスク再生装置では、ディスクレーベル面の表示情報を確認するためには、その都度、光ディスクを一旦取り出すための面倒な操作を行う必要があり、また、ディスクレーベル面の表示情報を光ディスクを停止させた状態で読み取るので、イメージセンサをスキャンニングする際のタイミングをとるためのパルス信号の発生手段やイメージセンサをスキャンニングさせるための移動機構などを必要として、構成か複雑化する。一方、特許文献２および特許文献３の各技術は、何れもフロッピィディスクやテープが内部に収納されたケースの表示情報をケースの静止状態で読み取るものであるから、特許文献１のものと同様に、表示情報を読み取るためにはイメージセンサでスキャンニングする必要があることから、やはり構成が複雑化する。
【０００７】
本発明は、前記従来の課題に鑑みてなされたもので、簡単な構成としながらも、ディスクのディスクレーベル面の表示情報を操作者の要求に応じて任意のタインミングで即座に表示できるディスク装置を提供することを目的とするものである。
【課題を解決するための手段】
【０００８】
上記目的を達成するために、請求項１に係る発明のディスク装置は、読み取り素子が少なくともディスクの半径よりも長いライン状に配列され、装着されたディスクにおける情報記録面とは反対側のディスクレーベル面に対向し、且つディスクの半径方向に沿った配置で設けられてディスクレーベル面の表示情報を読み取る画像読み取り装置と、前記画像読み取り装置が読み取った画像データを記憶する不揮発性の画像メモリと、画像メモリの画像データが画面表示される表示部と、ユーザの手動操作により種々の指令を入力する入力手段と、装置のシステム全体を制御する制御手段とを備え、前記制御手段が、前記入力手段から再生指令が入力したときに、ディスクが装着後に回転され始めた時点で前記画像読み取り装置に対しディスクレーベル面の表示情報の読み取りを指令する制御機能と、
前記画像読み取り装置が読み取った画像データを前記画像メモリに記憶させる制御機能と、前記入力手段からディスクレーベル面の表示情報の表示が指令されたときに、前記画像メモリから画像データを読み出して前記表示部に表示させる制御機能とを有していることを特徴としている。
【０００９】
請求項２に係る発明は、請求項１のディスク装置において、前記画像読み取り装置から読み出された画像データにおける前記ディスクの内周側のデータ部分を間引きししたのち、残存すデータ部分を繋ぎ合わせるように合成してディスク状の画像データに変換する整形を行う画像データ整形回路と、この画像データを圧縮して前記画像メモリに対し出力するエンコーダ部とを備えている。
【００１０】
請求項３に係る発明は、請求項２のディスク装置において、前記画像読み取り装置がディスクの１回転毎に順次駆動される複数の読み取り部に分割され、これら各読み取り部が、ディスクの外周側で最も速く読み取り、且つ内周側にいくにしたがって順次遅く読み取るように各読み取り部の読み取り速度またはディスクの回転速度が設定され、画像データ整形回路は、前記各読み取り部がそれぞれ読み取った画像データを繋ぎ合わせて合成することによりディスク状の画像データに変換するように構成されている。
【００１１】
請求項４に係る発明は、請求項１ないし３の何れかのディスク装置において、ディスクローディング機構がトレイをディスクの排出位置まで移動させたのを検出するトレイ位置検出手段を備え、前記制御手段が、前記トレイ位置検出手段から排出検出信号が入力したときに、前記画像メモリに記憶している画像データを消去させる制御機能を有したものである。
【００１２】
請求項５に係る発明は、請求項１ないし３の何れかのディスク装置において、複数枚のディスクを同時に装着して各ディスクのうちの再生を指令されたディスクを再生位置に位置決めするチェンジャと、前記チェンジャにおける再生位置に位置決めされたディスクが装着されているディスク装着部のディスク番号を検出するディスク番号検出部とを備え、前記制御手段が、前記入力手段からディスク番号を指定して再生指令が入力したときに、前記ディスク番号検出部から入力した検出ディスク番号に対応するディスクのディスクレーベル面の表示情報を読み取った画像データが前記画像メモリに記憶されていないと判別した場合に、前記画像読み取り装置が読み取った画像データをディスク番号に関連付けて前記画像メモリに記憶させ、一方、ディスク番号に対応する画像データが前記画像メモリに記憶されていると判別した場合に、その記憶中の画像データを消去したのちに、前記画像読み取り装置が読み取った画像データをディスク番号に関連付けて前記画像メモリに記憶させる制御機能と、前記入力手段からディスク番号を指示してディスクのディスクレーベル面の表示情報の表示指令が入力したときに、前記画像メモリから該当するディスク番号に対応する画像データを読み出して前記表示部に表示させる制御機能とを有する。
【発明の効果】
【００１３】
請求項１の発明によれば、ディスクのディスクレーベル面の表示情報が、ディスクの再生動作に際してディスクが回転し始めて１回転する期間、つまりディスクの記録された情報の読み取りが開始されるまでの期間において回転中のディスクのディスクレーベル面の表示情報を画像読み取り装置で読み取ることから、画像読み取り装置は、移動しながらスキャンニングする必要がないので、位置を固定した状態で設けることができ、移動機構やスキャンニングのタイミングをとるためのパルスを発生する必要がないので、簡単な構成とすることができる。また、不揮発性の画像メモリは電源がオフとなっても記憶した画像データを保持し続けるので、ユーザが、ディスクをセットしたのちに時間が経過し過ぎて何のディスクをセットしたのかを思い出せなくなった任意の時点で入力手段の所定のキーのワンタッチ操作を行うだけで、ディスクを取り出すことなく、表示部に画面表示されたディスクレーベル面の表示情報を見て、装填中のディスクが何であるかを即座に、且つ確実に確認できる。
【００１４】
請求項２の発明によれば、ディスクの回転時の線速度は外周側において最も速く、且つ内周側に向けて徐々に遅くなることから、画像読み取り装置で読み取った画像データは内周側にいくに従って引き延ばされたものとなるが、画像データ整形回路が、画像データにおける内周側のデータの間引きを行って、間引きした画像データをディスクの形状に合致するように繋ぎ合わせて合成することによりディスク状の画像データに変換するので、この変換された画像データは、全体の解像度が均一なものとなる。これにより、得られた画像データは、ディスクの全周に向けて画像読み取り装置を恰も円形方向に移動しながらディスクレーベル面の表示情報をスキャンニングして忠実に読み取った場合と同様の鮮明なものとなる。
【００１５】
請求項３の発明によれば、各読み取り部により順次読み取られた各画像データは、ディスクの径方向における領域の相違に拘らず同等の読み取り速度で読み取られたものであって、引き延ばされ不自然なデータ部分が存在せず、この各画像データが繋ぎ合わせて合成されることによりディスク状の画像データに変換されるので、全体の解像度が均一な画像データとなる。したがって、得られた画像データは、ディスクの全周に向けて画像読み取り装置を恰も円形方向に移動しながらディスクレーベル面の表示情報をスキャンニングしながら忠実に読み取った場合と同様の鮮明なものとなり、一層正確にディスクレーベル面の表示情報を再現できるものとなる。
【００１６】
請求項４の発明によれば、装填中のディスクが取り出される毎にそのディスクのディスクレーベル面の画像データを消去するので、画像メモリとして容量の小さなものを用いることができる。
【００１７】
請求項５の発明によれば、再生指令されたディスク番号のディスクの画像データが画像メモリに記憶されている場合であっても、その画像データを消去したのちに、画像読み取り装置で読み取った画像データをディスク番号に関連付けて画像メモリに更新記憶するので、複数個のうちの何れのディスク装着部のディスクが交換されたのかを検出しなくても、その交換されたディスクのディスクレーベル面の表示情報を読み取った画像メモリに更新記憶することができるとともに、複数個のうちの何れかの空のディスク装着部に最初にディスクが装着されたのを検出しなくても、その新たに装着されたディスクのディスクレーベル面の表示情報を読み取った画像データを画像メモリに記憶できるので、格段に簡素化された構成とすることができる。また、ユーザは、セットした複数枚のうちの特定のディスクを取り出すことなく、入力手段の所定のキーのワンタッチ操作を行うだけで、表示部に画面表示されたディスクレーベル面の表示情報を見て、何のディスクであるかを即座に、且つ確実に確認できる。さらに、画像メモリは、最大でディスク装着部と同数の画像データを記憶するだけでよいので、画像メモリとして容量の小さなものを用いることができる利点がある。
【発明を実施するための最良の形態】
【００１８】
以下、本発明の好ましい実施形態について、図面を参照しながら詳細に説明する。図１は、本発明の第１の実施形態に係る光ディスク装置を示すブロック構成図である。光ディスク１はスピドルモータ２により回転駆動され、その情報記録面１ａに記録された情報が光ピックアップ３により読み取られる。この光ビックアップ３には、レーザダイオード、対物レンズ、フォトディテクタ等を含む光学系、光ディスク１の情報記録面に対して対物レンズをその光軸方向に駆動するフォーカスアクチュエータ、光ピックアップ３から発せられるビームスポットを記録トラックに対してディスク半径方向に調整するトラッキングアクチュエータ等が内蔵されている。光ピックアップ３はスレッドモータ４により光ディスク１の半径方向に直線移動される。
【００１９】
光ピックアップ３によって情報記録面１ａから読み取られた情報は、ＲＦアンプ７で波形整形および増幅されたのちに、信号処理部８に導かれる。信号処理回路８では、ＲＦアンプ７から入力するデジタルデータをデコーダ部８ａで伸長処理してＡ／Ｄ変換部９に出力する。Ａ／Ｄ変換部９は入力するデジタルデータをアナログデータに変換して出力する。出力されたアナログデータはＣＲＴまたはテレビジョン受像機などの表示部１０に画面表示され、また、音声データはスピーカ（図示せず）から放音出力される。また、この実施形態では、再生および記録可能な光ディスク装置を例示してあり、記録系は本発明とは直接的な関連がないことから図示を省略している。信号処理部８は、Ａ／Ｄ変換部（図示せず）から出力されるデジタルデータをＪＰＥＧ規格にしたがって圧縮処理して記録系に出力するエンコーダ部８ｂを備えている。さらに、信号処理部８は、後述のバッファメモリ１１から読み出されたデータをＡ／Ｄ変換部９を介して表示部１０に表示させるＯＳＤ（オンスクリーンディスプレイ）部８ｃを有している。
【００２０】
マイクロコンピータ１２は、装置全体をシステム制御するもので、リモートコントローラ１３から入力回路１４を介して入力されたユーザの指示、またはキー入力部１７から入力されたユーザの指示に従って信号処理する信号処理部８、サーボ制御部１８および画像読み取り装置１９等を制御する。サーボ制御部１８は、光ピックアップ３に対するフォーカシングサーボやトラッキングサーボのサーボ制御を行うとともに、スピンドルモータ２、スレッドモータ４および光ディスクを装填するためのディスクトレイ（図示せず）を作動させるディスクローディング機構２０を駆動するトレイモータ２１をサーボ制御する。トレイ位置検出スイッチ２２は、ディスクトレイのディスク排出位置を検出して排出検出信号をマイクロコンピュータ１２に対し出力する。
【００２１】
画像読み取り装置１９は、装填位置の光ディスク１のディスクレーベル面１ｂの表示情報を読み取る。画像データ整形回路２３は、画像データ読み取り装置１９から入力する画像データにおける光ディスク１の内周側のデータを間引きしてディスクレーベル面１ｂの表示情報に合致するように画像データを整形して、信号処理部８に対し出力する。信号処理部８では、マイクロコンピュータ１２からの指令制御により、画像データ整形回路２３から入力する画像データに対しエンコーダ部８ｂがＪＰＥＧ規格に基づく圧縮処理を施して、その圧縮画像データを不揮発性の画像メモリ２４に記憶する。また、信号処理部８は、マイクロコンピュータ１２からの指令制御により、画像メモリ２４から圧縮画像データを読み出して、その圧縮画像データをデコーダ部８ａで伸長処理して元の画像データに復号化し、その画像データをバッファメモリ１１に一時記憶したのち、バッファメモリ１１から読み出した画像データをＯＳＤ部８ｃがＡ／Ｄ変換部９を介し表示部１０に画面表示する。
【００２２】
つぎに、上記画像読み取り装置１９について、図２を参照しながら説明する。画像データ読み取り装置１９は、図２（ａ）に示すように、光ディスク１の半径よりも僅かに長いライン形状を有しており、光ディスク１のディスクレーベル面１ｂに対して、半径方向に沿って配置され、且つ所定間隔を存して平行に対置されている。図２（ｂ）に示すように、この画像データ読み取り装置１９は、ＣＣＤなどの画像読み取りデバイスが基盤２７に一列配置して設けられたリニアイメージセンサアレイ２８と、光ディスク１のディスクレーベル面１ｂを光照射する照明ブロック２９と、ディスクレーベル面１ｂの表示情報をリニアイメージセンサアレイ２８に縮小投影するロッドレンズアレイ３０とを備えて構成されている。この画像読み取り装置１９は、リニアイメージセンサアレイ２８とディスクレーベル面１ｂとの間隔が１０数ｍｍとなる配置で設けられる。リニアイメージセンサアレイ２８とディスクレーベル面１ｂとの間隔はロッドレンズアレイ３０の種類に応じて適宜変更する必要があるが、何れのロッドレンズアレイ３０を採用した場合においても上述した１０数ｍｍの範囲内に収まる。
【００２３】
上記光ディスク装置における光ディスク１のディスクレーベル面１ｂの表示情報を表示部１０に画面表示する作用について、マイクロコンピュータ１２の制御処理を示す図３のフローチャートを参照しながら説明する。マイクロコンピュータ１２は、トレイ位置検出スイッチ２２からの排出検出信号の入力の有無に基づき新たな光ディスク１がトレイにセットされたか否かを常時監視して（ステップＳ１）おり、トレイ位置検出スイッチ２２から排出検出信号が入力したときに新たな光ディスク１がトレイにセットされたと判別し、続いて、新たにセットされた光ディスク１の再生指令が入力回路１４またキー入力部１７から入力したときに、そのセットされた光ディスク１が再生処理を開始するために回転し始めるのを待って（ステップＳ２）、画像読み取り装置１９に対しディスクレーベル面１ｂの表示情報の読み取りを指令する（ステップＳ３）。
【００２４】
画像読み取り装置１９は、光ディスク１が１回転する期間においてディスクレーベル面１ｂの全面の表示情報を読み取って画像データ整形回路２３に出力する（ステップＳ３）。この画像読み取り装置１９は、既存のフラットベッド型イメージスキャナの技術を応用したものであるが、光ディスク１の再生動作に際して光ディスクが回転し始めて１回転する期間、つまり光ディスク１の記録された情報の読み取りが開始されるまでの期間において回転中の光ディスク１のディスクレーベル面１ｂの表示情報を読み取ることから、移動しながらスキャンニングする必要がないので、位置を固定した状態で設けることができ、移動機構やスキャンニングのタイミングをとるためのパルスを発生する必要がないので、簡単な構成とすることができる。
【００２５】
画像データ整形回路２３は、画像読み取り装置１９から入力した画像データを整形して、光ディスク１に対応するディスク状の画像データに変換するように整形する。この動作について、図４を参照しながら具体的に説明すると、図４（ａ）に模式的に示すように、画像読み取り装置１９から入力する画像データＤ１は、２点鎖線で囲むような長方形のものとなるが、光ディスク１の回転時の線速度が外周側において最も速く、且つ内周側に向けて徐々に遅くなることから、画像データＤ１における内周側にいくに従って引き延ばされたものになっている。
【００２６】
そこで、画像データ整形回路２３では、図４（ａ）に実線で示すように、上記長方形の画像データＤ１における内周側に向けて徐々に大きく削減するデータの間引きを行って、図４（ｂ）に示すように、間引きした画像データを光ディスク１の形状に合致するように繋ぎ合わせて合成することによりディスク状の画像データに変換するので、この変換された画像データＤ２は、全体の解像度が均一なものとなる。このとき、画像データＤ１は、破線で囲んだ両端部分を若干多い目に取得して互いに重なるように読み取っておけば、繋ぎ目での不自然なずれを抑制してディスクレーベル面１ｂの表示情報を忠実に再現できるものとなる。これにより、得られた画像データＤ２は、光ディスク１の全周に向けて画像読み取り装置１９を恰も円形方向に移動しながらディスクレーベル面１ｂの表示情報をスキャンニングして忠実に読み取った場合と同様の鮮明なものとなる。
【００２７】
図３に戻って、上述のようにして画像読み取り装置１９で読み取った画像データＤ１を、画像データ整形回路２３で整形してディスク状の画像データＤ２に変換した（ステップＳ４）のち、この整形された画像データＤ２が信号処理部８に入力される。信号処理部８では、入力した画像データＤ２を、データの記録手段として設けられている既存のエンコーダ部８ｂがＪＰＥＧ形式に従って圧縮処理し（ステップＳ５）たのち、その圧縮画像データを画像メモリ２４に記憶する（ステップＳ６）。
【００２８】
そののち、マイクロコンピュータ１２は、入力回路１４またはキー入力部１７からディスクレーベル面１ｂの表示情報の表示の指令が入力するのを待つ（ステップＳ７）。このとき、画像メモリ２４として不揮発性メモリが用いられていることから、電源がオフとなっても圧縮画像データを該当する光ディスクが取り出されるまで保持し続ける。ユーザが、光ディスク１をセットしたのちに時間が経過し過ぎて何の光ディスク１をセットしたのかを思い出せなくなった場合、ディスクレーベル面１ｂの表示情報の表示の指令を入力する操作を行う。マイクロコンピュータ１２は、上記指令が入力したときに、信号処理部８に対し画像メモリ２４に記憶している画像データの表示を指令する。
【００２９】
それにより、信号処理部８は、画像メモリ２４から圧縮画像データを読み出し（ステップＳ８）て、その取り込んだ圧縮画像データをデコード部８ａで伸長処理して元の画像データに復号化し（ステップＳ９）、その画像データをバッファメモリ１１に一時記憶し（ステップＳ１０）たのちに、記憶した画像データをバッファメモリ１１から順次読み出してＯＳＤ部８ｃによりＡ／Ｄ変換部を介して表示部１０に画面表示する（ステップＳ１１）。したがって、ユーザは、光ディスク１を取り出すことなく、リモートコントーラ１３またはキー入力部１７の所定のキーのワンタッチ操作を行うだけで、表示部１０に画面表示されたディスクレーベル面１ｂの表示情報を見て、装填中の光ディスク１が何であるかを即座に、且つ確実に確認できる。つぎに、マイクロコンピュータ１２は、表示部１０に画面表示した時点から自体に内蔵のタイマ回路を起動して所定時間の計時を開始し、その所定時間が経過したと判別した時点で、信号処理部８に指令して表示部１０の画面表示を消去させる（ステップＳ１２）。
【００３０】
続いて、マイクロコンピュータ１２は、トレイ位置検出スイッチ２２から排出検出信号の入力の有無に基づいて装填中の光ディスク１が取り出されたか否かを監視し続け（ステップＳ１３）、トレイ位置検出スイッチ２２から排出検出信号が入力したときに、装填中であった光ディスク１が取り出されたと判別して、信号処理部８に指令して画像メモリ２４に記憶中の画像データを消去させる（ステップＳ１４）。このように装填中の光ディスク１が取り出される毎にその光ディスク１のディスクレーベル面１ｂの画像データを消去するので、画像メモリ２４として容量の小さなものを用いることができる利点がある。
【００３１】
なお、この実施形態では、トレーローディング方式のディスク出入部を備えたディスク装置を例示して説明しているが、これに限らず、本発明は、スロットローディング方式や簡易開閉方式のディスク出入部を備えたディスク装置にも適用することができる。
【００３２】
第１の実施形態の変形例として、ハードディスクドライブが内蔵されたディスク装置では、上述したユーザからの表示指令によってディスクレーベル面１ｂの表示情報を画面表示するのに加えて、ハードディスクドライブから光ディスクに切り換えられた時点でディスクレーベル面１ｂの表示情報を自動的に画面表示する構成とすることが好ましい。上記ハードディスクドライブは、記録再生速度が高速で大容量の記録媒体であることから、受信手段が放送局から受信した商用放送などの受信信号や作成された管理情報などの大量のデータが記録されて、一般的に記録と再生が頻繁に行われることから必然的に、セットした光ディスク１の使用頻度が低くなりがちで、ユーザが何の光ディスク１であるかを忘れていることが多いので、上述したディスクレーベル面１ｂの表示情報を自動的に画面表示することは有用である。
【００３３】
図５は、本発明の第２の実施形態における光ディスク１のディスクレーベル面１ｂの表示情報を読み取ったのちに整形する処理手順を模式的に示したものである。この実施形態は、第１の実施形態に対し画像読み取り装置１９および画像データ整形回路２３での処理が異なるのみである。図５（ａ）に示すように、画像読み取り装置３１は、光ディスク１を半径方向において３分割した領域をそれぞれ読み取るための外周、中間および内周の各読み取り部３１ａ〜３１ｃに３分割した構成として、外周読み取り部３１ａの読み取り速度を速く設定し、中間および内周の各読み取り部３１ｂ、３１ｃの各読み取り速度を順次遅く設定する。または、各読み取り部３１ａ〜３１ｃを同じ読み取り速度に設定して、外周読み取り部３１ａの読み取り時の光ディスク１の回転速度を速く設定し、中間および内周の各読み取り部３１ｂ、３１ｃの各読み取り時の光ディスク１の回転速度を順次遅く設定する。
【００３４】
そして、再生動作を行うに際し光ディスク１が回転され始めて実際に記録データの読み取りが開始されるまでに光ディスクが３回転する期間において、各読み取り部３１ａ〜３１ｃを光ディスク１の１回転毎に順次駆動させて、ディスクレベル面１ｂの表示情報を３分割して読み取る。図５（ｂ）に示すように、３つの読み取り部３ａ〜３１ｃにより順次読み取られた各画像データＤ１１〜Ｄ１３の光ディスク１の１周分の長さは、光ディスク１に各々の読み取り領域の１周分の長さに対応して互いに異なるものとなり、この各画像データＤ１１〜Ｄ１３が画像データ整形回路２３に対し出力される。
【００３５】
画像データ整形回路２３では、図５（ｃ）に実線で示すように、上記長方形の各画像データＤ１１〜Ｄ１３における内周側に向けて徐々に大きく削減するデータの間引きを行って、図５（ｄ）に示すように、間引きした画像データを繋ぎ合わせて合成することにより、ディスク状の画像データに変換するので、全体の解像度が均一となる画像データＤ３を得る。これにより、得られた画像データＤ３は、光ディスク１の全周に向けて画像読み取り装置１９を恰も円形方向に移動しながらスクレーベル面１ｂの表示情報をスキャンニングしながら忠実に読み取った場合と同様の鮮明なものとなり、第１の実施形態の画像データＤ２よりも一層正確にディスクレーベル面１ｂの表示情報を再現できるものとなる。
【００３６】
図６は本発明の第３の実施形態に係る光ディスク装置を示すブロック構成図であり、第１の実施形態とハードウェア面において相違するのは、複数枚の光ディスクを同時にセットしてそれらのうちから適宜選択された所要の光ディスク１を再生位置に位置決めするチェンジャ３２を付設した構成のみであり、第１の実施形態の図１と同一若しくは相当するものには同一の符号を付して、重複する説明を省略する。チェンジャ３２は、筐体３３内にターレットトレイ３４が回転軸３７回りに回転自在に設けられ、そのターレットトレイ３４に複数個（この実施形態において５個の場合を例示）のディスク装着部３８Ａ〜３８Ｅが同心円上に等間隔の配置で設けられている。各ディスク装着３８Ａ〜３８Ｅにはそれぞれ光ディスク１を挿入してセットできるようになっている。ターレットトレイ３４は、例えば図の時計方向にターレット駆動部３９によって回転される。各ディクス装着３８Ａ〜３８Ｅには、ターレットトレイ３４の回転方向に沿ってディスク番号が設定されており、ターレットトレイ３４における各ディスク装着部３８Ａ〜３８Ｅの各々の近傍箇所には、例えば、スリットの数および間隔などによって構成されるディスク番号が形成表示されている。
【００３７】
チェンジャ３２の筐体３３には、再生位置に位置決めされたディスク装着部３８Ａ〜３８Ｅのディスク番号を検出するためのディスク番号検出部４０が設けられている。このディスク番号検出部４０は、ターレットトレイ３４における各ディスク装着部３８Ａ〜３８Ｅの近傍箇所に形成表示された上記ディスク番号を、例えば光学的に読み取って検出するようになっている。
【００３８】
上記光ディスク装置における光ディスク１のディスクレーベル面１ｂの表示情報を表示部１０に画面表示する作用について、マイクロコンピュータ１２の制御処理を示す図７のフローチャートを参照しながら説明する。マイクロコンピュータ１２は、入力回路１４またはキー入力部１７から再生すべきディスク番号を指定した上での再生処理の指令入力（ステップＳ２１）またはディスクレーベル面１ｂの表示情報の表示の指令入力（ステップＳ２９）の何れか一方の指令入力するのを常時監視している。再生処理の指令が入力したときには、マイクロコンピュータ１２が、再生処理を指示されたディスク番号のディスクレーベル面１ｂの表示情報の画像データが画像メモリ２４に既に記憶されているか否かの判別を信号処理部８に対し指令する（ステップＳ２２）。
【００３９】
すなわち、詳細については後述するが、この実施形態のディスク装置では、再生処理の開始前にディスクレーベル面１ｂの表示情報を読み取った画像データを圧縮して、その圧縮画像データを光ディスク１が装着されたディスク装着部３８Ａ〜３８Ｅのディスク番号と関連付けて画像メモリ２４に記憶されるようになっている。また、再生処理を開始するに際しての制御については、この発明と直接関連がないことから、図７において図示を省力しているが、入力回路１４またはキー入力部１７から再生すべきディスク番号を指定して再生処理の指令が入力された（ステップＳ２１）ときには、マイクロコンピュータ１２から指定信号を受けたターレットトレイ駆動部３９がターレットトレイ３４を所定方向に回転させ、マイクロコンピュータ１２は、ディスク番号検出部４０から指定されたディスク番号の検出信号が入力した時点で、ターレットトレイ駆動部３９に対しターレットトレイ３４の回転を停止させるように指令する。これにより、再生を指示されたディスク番号のディスク装着部３８Ａ〜３８Ｅは再生位置に位置決めされる。
【００４０】
上述した再生処理を指示されたディスク番号のディスクレーベル面１ｂの表示情報の画像データが画像メモリ２４に存在するか否かを判別する指令を受けた信号処理部８は、画像メモリ２４の記憶内容を参照して当該画像データの記憶の有無を判別し（ステップＳ２２）、その判別結果をマイクロコンピュータ１２に対し出力する。その判別結果が当該ディスク番号の画像データが存在するものである場合、マイクロコンピュータ１２は、信号処理部８に指令して当該ディスク番号の画像データを消去（ステップＳ２３）させたのち、再生位置に位置決めされた当該ディスク番号の光ディスク１が再生処理を開始するために回転し始めるのを待って（ステップＳ２４）、画像読み取り装置１９に対しディスクレーベル面１ｂの表示情報の読み取りを指令する（ステップＳ２５）。この制御処理は、当該ディスク番号のディスク装着部３８Ａ〜３８Ｅに新たな光ディスクが装着されて最初に再生される場合であり、これにより、複数個のうちの何れかのディスク装着部３８Ａ〜３８Ｅの光ディスク１が交換されたのを検出しなくても、その交換された光ディスク１のディスクレーベル面１ｂの表示情報を確実に読み取ることができる。また、何れかのディスク装着部３８Ａ〜３８Ｅに装着中の光ディスクが新たなものと交換された場合には、取り出された光ディスク１のディスクレーベル面の画像データが画像メモリ２４から消去されるので、画像メモリ２４は、最大でズィスク装着部３８Ａ〜３８Ｅと同数の圧縮画像データを記憶するだけでよいので、画像メモリ２４として容量の小さなものを用いることができる利点がある。
【００４１】
一方、信号処理部８の画像メモリ２４を参照した判別結果が当該ディスク番号の画像データが存在しない（ステップＳ２２）ものである場合、マイクロコンピュータ１２は、再生位置に位置決めされた当該ディスク番号の光ディスク１が再生処理を開始するために回転し始めるのを待って（ステップＳ２４）、画像読み取り装置１９に対しディスクレーベル面１ｂの表示情報の読み取りを指令する（ステップＳ２５）。これにより、複数個のうちの何れかの空のディスク装着部３８Ａ〜３８Ｅに最初に光ディスク１が装着されたのを検出しなくても、その新たに装着された光ディスク１のディスクレーベル面１ｂの表示情報を確実に読み取ることができる。
【００４２】
画像読み取り装置１９がディスクレーベル面１ｂの表示情報を読み取った画像データは、画像データ整形回路２３において光ディスク１に対応するディスク状の画像データに変換するように整形されたのち、信号処理部８に入力されてエンコーダ部８ｂによりＪＰＥＧ形式に従って圧縮処理される（ステップＳ２６）。この圧縮画像データは、ディスク番号と関連付けて画像メモリ２４に記憶され（ステップＳ２７）、そののち、光ディスク１の情報記録面１ａの再生処理が実行される（ステップＳ２８）。なお、画像メモリ２４として不揮発性メモリが用いられていることから、電源がオフとなっても一旦記憶した圧縮画像データをステップＳ２３で消去処理されるまで保持し続ける。
【００４３】
続いて、マイクロコンピュータ１２は、入力回路１４またはキー入力部１７から装置を駆動停止させる指令が入力したと判別（ステップＳ３５）しない限り、ステップＳ２１にリターンして上述と同様の制御処理を繰り返して、再生処理を指令された光ディスク１のディスクレーベル面１ｂの表示情報を読み取った画像データを画像メモリ２４に記憶する。そして、ユーザは、或るディスク装着部３８Ａ〜３８Ｅにセットした光ディスク１が何であるかを思い出せなくなった場合に、ディスクレーベル面１ｂの表示情報の表示の指令を入力する操作を行う。このとき、マイクロコンピュータ１２は、ディスクレーベル面１ｂの表示情報の表示の指令が入力したと判別（ステップＳ２９）したときに、信号処理部８に対してディスク番号を指定して画像メモリ２４に記憶している画像データの表示を指令する。
【００４４】
それにより、信号処理部８は、画像メモリ２４から圧縮画像データを読み出し（ステップＳ３０）て、その取り込んだ圧縮画像データをデコード部８ａで伸長処理して元の画像データに復号化し（ステップＳ３１）、その復号化した画像データをバッファメモリ１１に一時記憶し（ステップＳ３２）たのちに、記憶した画像データをバッファメモリ１１から順次読み出してＯＳＤ部８ｃによりＡ／Ｄ変換部を介し表示部１０に画面表示する（ステップＳ３３）。したがって、ユーザは、ターレットトレイ３４にセットした複数枚のうちの特定の光ディスク１を取り出すことなく、リモートコントーラ１３またはキー入力部１７の所定のキーのワンタッチ操作を行うだけで、表示部１０に画面表示されたディスクレーベル面１ｂの表示情報を見て、装填中の光ディスク１が何であるかを即座に、且つ確実に確認できる。つぎに、マイクロコンピュータ１２は、表示部１０に画面表示した時点から自体に内蔵のタイマ回路を駆動して所定時間の計時を開始して、所定時間が経過したと判別した時点で、信号処理部８に指令して表示部１０の画面表示を消去させる（ステップＳ３４）。
【産業上の利用可能性】
【００４５】
この発明は、ディスクのディスクレーベル面の表示情報を、ディスクの再生動作に際してディスクが回転し始めたときにディスクレーベル面の表示情報を画像読み取り装置で読み取るようにしたので、簡単な構成とすることができ、ユーザが、ディスクをセットしたのちに時間が経過し過ぎて何のディスクをセットしたのかを思い出せなくなった任意の時点で入力手段の所定のキーのワンタッチ操作を行うだけで、ディスクを取り出すことなく、表示部に画面表示されたディスクレーベル面の表示情報を見て、装填中のディスクが何であるかを即座に、且つ確実に確認できるディスク装置を提供できる。
【図面の簡単な説明】
【００４６】
【図１】本発明の第１の実施形態に係るディスク装置のブロック構成図である。
【図２】（ａ）はディスクと画像読み取り装置との相対配置を示す平面図、（ｂ）は画像読み取り装置の下方から見た斜視図である。
【図３】同上の実施形態のディスク装置の制御手段の制御処理を示すフローチャートである。
【図４】（ａ），（ｂ）は同上の実施形態の画像データの整形過程を模式的に示した説明図である。
【図５】本発明の第２の実施形態に係るディスク装置における画像データの整形過程を模式的に示した説明図である。
【図６】本発明の第３の実施形態に係るディスク装置のブロック構成図である。
【図７】同上の実施形態のディスク装置の制御手段の制御処理を示すフローチャートである。
【符号の説明】
【００４７】
１  光ディスク
１ａ  情報記録面
１ｂ  ディスクレーベル面
８ｂ  エンコーダ部
１０  表示部
１２  マイクロコンピュータ（制御手段）
１３  リモートコントローラ（入力手段）
１７  キー入力部（入力手段）
１９  画像読み取り装置
２０  ディスクローディング機構
２２  トレイ位置検出手段
２３  画像データ整形回路
２４  画像メモリ
２８  リニアイメージセンサアレイ（読み取り素子）
３１ａ〜３１ｃ  読み取り部
３２  チェンジャ
３８Ａ〜３８Ｅ  ディスク装着部
４０  ディスク番号検出部
【図１】
2009020937.tif 000003
【図２】
2009020937.tif 000004
【図３】
2009020937.tif 000005
【図４】
2009020937.tif 000006
【図５】
2009020937.tif 000007
【図６】
2009020937.tif 000008
【図７】
2009020937.tif 000009